(57)【要約】【課題】  比較的容易な光学系により、発光表示パネルのホワイトバランス調整を実現し得る表示装置を提供する。【解決手段】  表示装置１０は、少なくとも上面基板が透明である一対のＥＬ素子表側基板２１及びＥＬ素子裏側基板２２の間に有機ＥＬ素子２３を有する発光表示パネルを備えている。有機ＥＬ表示パネル２０の発光方向である上面には、透明な一対の液晶素子表側基板３２及び液晶素子裏側基板３３間に狭持された、液晶層３４、及び液晶層３４の上下面に配された電極を有する液晶素子３１と、液晶素子３１を狭持しかつ互いに直交ニコルをなす表側偏光板３５及び裏側偏光板３６とを有する液晶パネル３０が積層されている。液晶層３４の上下面に配された電極は、それぞれ単一の透明電極にて構成されている。【選択図】  図１
2006162705.tif 000002
【特許請求の範囲】
【請求項１】
少なくとも上面の基板が透明である一対の基板の間に発光素子を有する発光表示パネルを備えた表示装置において、
上記発光表示パネルの発光方向である上面には、透明な一対の基板間に狭持された、液晶層及び該液晶層の上下面に配された電極を有する液晶素子と、該液晶素子を狭持しかつ互いに直交ニコルをなす偏光板とを有する液晶パネルが積層されていると共に、
上記液晶層の上下面に配された電極は、それぞれ単一の透明電極にて構成されていることを特徴とする表示装置。
【請求項２】
前記液晶パネルの液晶素子は、印加電圧に応じてその透過率が表示面全体で一律に変化することを特徴とする請求項１記載の表示装置。
【請求項３】
前記液晶パネルと発光表示パネルとの間には、光の縦波（Ｐ波）成分と光の横波（Ｓ波）成分との位相差を４５度ずらす位相差板が設けられていることを特徴とする請求項１又は２記載の表示装置。
【請求項４】
前記液晶パネルの下の偏光板、及び前記位相差板は、上記液晶パネル側から入光する光に対しては円偏光板として機能し、発光表示パネルの出射光に対しては直線偏光板として機能することを特徴とする請求項３記載の表示装置。
【請求項５】
前記液晶素子を構成する透明な一対の基板は、プラスチックにてなっていることを特徴とする請求項１〜４のいずれか１項に記載の表示装置。
【請求項６】
前記発光素子は、有機ＥＬ素子であることを特徴とする請求項１〜５のいずれか１項に記載の表示装置。
【発明の詳細な説明】
【技術分野】
【０００１】
本発明は、少なくとも上面の基板が透明である一対の基板の間に発光素子を有する発光表示パネルを備えた表示装置に関するものである。
【背景技術】
【０００２】
従来、一対の基板の間に発光素子を有する発光表示パネルを備えた表示装置として、例えば、有機ＥＬ(Electro Luminescence)発光素子を有する有機ＥＬ表示装置がある。
【０００３】
上記有機ＥＬ表示装置の構造としては、例えば、図４に示すように、一対の基板であるシールガラス１０１とガラス基板１０２との間に有機ＥＬ発光素子１１０を有している。この有機ＥＬ発光素子１１０はガラス基板１０２側に発光する。一方、外光はガラス基板１０２を通して有機ＥＬ表示装置１００の内部に侵入し、有機ＥＬ発光素子１１０の裏面に設けられた反射電極１０３にて反射し、コントラストの低下を招く要因となる。
【０００４】
ところで、上記有機ＥＬ表示装置では、ＲＧＢ３色によるフルカラー表示をさせる場合、白色の色度調整つまりホワイトバランスが必要となる。
【０００５】
ここで、自発光型ではない液晶素子を備えた液晶表示装置の場合には、カラーフィルタやバックライトにより白色の色味が決まる。このため、白色の輝度を可変（調光）しても、液晶自体はシャッターの役割だけであるので、基本的に白色の色味は変化しない。
【０００６】
しかしながら、自発光である有機ＥＬ素子の場合におけるホワイトバランスについては、液晶素子のように簡単ではない。その理由は、発光素子の場合には、ホワイトバランスを維持した状態での調光が困難であるためである。
【０００７】
すなわち、有機ＥＬ素子等の発光素子の場合、ＲＧＢ各色の輝度配合とＲＧＢ各色の色度値との２つの要素によって白色の色度が決まる。
【０００８】
このうち、色度値に関しては、有機層に印加する電圧や流れる電流等の駆動状態によっては大きく変化しないので問題ない。しかし、輝度配合の方は、有機ＥＬ素子の駆動状態によって変化する。
【０００９】
例えば、図５にＲＧＢ各色の有機ＥＬ層の電圧−輝度特性例を示すように、ある白色の色度を設定するために、ＲＧＢ各色の発光電圧をＶＲ、ＶＧ、ＶＢに設定した時、それぞれに対応する輝度ＬＲ、ＬＧ、ＬＢの相対輝度比により、白色の色度が決まっている。
【００１０】
ところが、同図に示すように、各色の有機層の電圧−輝度特性の傾きは異なる。このため、調光しようとする場合に、各色について単純に同じ比率で電圧を変化させただけでは、上記の相対輝度比の割合が変化するので、ホワイトバランスが崩れる。したがって、ホワイトバランスを維持した状態で、調光しようとした場合は、
（１）ＲＧＢ各色の特性を一致させる。
（２）ＲＧＢ各色の輝度配合比が変わらない状態にする。
の２つしか方法がない。
【００１１】
このうち、（１）については、発光効率や寿命など別の要求性能もあり、実現させるのは極めて困難である。また、（２）については、光学的に実現する方法と、電気的に実現する方法がある。
【００１２】
ここで、本願の課題とは関係がないが、上記（２）の光学的に実現する方法及び電気的に実現する方法に対応する先行技術として、例えば、特許文献１に開示された表示装置がある。
【００１３】
この表示装置２００は、図６に示すように、有機ＥＬ表示装置２１０と液晶表示装置２２０とを積層したものからなっており、有機ＥＬ表示装置２１０での表示と液晶表示装置２２０での表示との両方が行えるようになっている。このような表示装置２００では、液晶表示装置２２０を有機ＥＬ表示装置２１０の偏光板の役割を果たさせることによって、有機ＥＬ表示装置２１０のＲＧＢ各色の輝度配合比が変わらない状態にて、ホワイトバランスを調整することが可能である。
【００１４】
すなわち、上記特許文献１では、液晶表示装置２２０と有機ＥＬ表示装置２１０とによる双方向表示と、色補正パネルによる任意の発光色が選択可能であるということを目的としているので、本願とは主旨が異なる。しかし、特許文献１においても、液晶表示装置２２０を透過モードにすることによって、有機ＥＬ表示装置２１０の調光が可能である。
【特許文献１】特開２００４−９３７５４号公報（平成１６年３月２５日公開）
【発明の開示】
【発明が解決しようとする課題】
【００１５】
しかしながら、上記従来の表示装置２００では、下記の問題点を生ずる。
【００１６】
まず、表示装置２００では、液晶表示装置２２０は表示機能を有しなければならないので、この液晶表示装置２２０には、セグメント電極、マトリクス電極、カラーフィルタ、薄膜ＴＦＴ及び複雑な駆動回路等が多かれ少なかれ必要である。したがって、コスト、信頼性、消費電力の面で問題がある。
【００１７】
また、表示装置２００では、液晶素子を画像表示装置として使用する場合は、信頼性の観点からガラス基板を用いなければならず、薄型化が困難であるという問題点を有している。
【００１８】
さらに、画像表示装置をマトリクス電極にて構成した場合は、下記の問題点が生じる。
（ａ）液晶表示装置２２０の開口率が低下し、有機ＥＬ表示装置３１０の発光輝度を低下させる。
（ｂ）有機ＥＬ表示装置２１０と液晶表示装置２２０との間で、干渉縞（モアレ）が発生する可能性がある。
【００１９】
また、表示装置２００では、図６に示すように、有機ＥＬ表示装置２１０と液晶表示装置２２０との間に色補正パネルであるフィルタ２０１が設けられている。このフィルタ２０１には反射防止のための図示しない拡散層が設けられているが、これにより下記の問題点が生じる。
（ｉ）液晶表示装置２２０を通して入射する外光は、拡散するだけであり、遮光されているわけではないので、ある特定方向の反射を抑える効果があるに過ぎず、反射防止にはなっていない。したがって、逆に、別の方向の反射が強まる可能性がある。
（ii）拡散効果と部材そのものの透過率とにより、有機ＥＬ表示装置２１０の発光輝度を低下させる。
（iii）拡散効果により、有機ＥＬ表示装置２１０の画像がボケる。
【００２０】
本発明は、上記従来の問題点に鑑みなされたものであって、その目的は、比較的容易な光学系により、発光表示パネルのホワイトバランス調整を実現し得る表示装置を提供することにある。
【課題を解決するための手段】
【００２１】
本発明の表示装置は、上記課題を解決するために、少なくとも上面の基板が透明である一対の基板の間に発光素子を有する発光表示パネルを備えた表示装置において、上記発光表示パネルの発光方向である上面には、透明な一対の基板間に狭持された、液晶層及び該液晶層の上下面に配された電極を有する液晶素子と、該液晶素子を狭持しかつ互いに直交ニコルをなす偏光板とを有する液晶パネルが積層されていると共に、上記液晶層の上下面に配された電極は、それぞれ単一の透明電極にて構成されていることを特徴としている。
【００２２】
上記の発明によれば、発光表示パネルの上側には、単一の透明電極にて構成される液晶素子を備えた液晶パネルが配されている。この液晶パネルは、発光表示パネルから出射された光の透過率を減じる働きをする。このため、発光表示パネルのＲＧＢ各色の輝度配合比が変わらない状態にて、ホワイトバランスを調整することが可能である。特に、本発明では、液晶素子は、単一の透明電極にて構成されているので、マトリクス電極を使用するマトリクス型の液晶表示装置のような複雑な構造及び駆動は不要である。また、マトリクス電極を使用しないので、液晶パネルの開口率の低下による発光表示パネルの発光輝度の低下もなく、液晶パネルと発光表示パネルとの間の干渉縞（モアレ）が発生することもない。
【００２３】
この結果、比較的容易な光学系により、発光表示パネルのホワイトバランスの調整を実現し得る表示装置を提供することができる。
【００２４】
本発明の表示装置は、上記記載の表示装置において、前記液晶パネルの液晶素子は、印加電圧に応じてその透過率が表示面全体で一律に変化することを特徴としている。
【００２５】
上記の発明によれば、液晶パネルの液晶素子は、印加電圧に応じてその透過率が表示面全体で一律に変化する。このため、液晶素子に電圧を印加したときには、表示面全体で発光表示パネルから出射された光の透過率を減じることができる。
【００２６】
本発明の表示装置は、上記記載の表示装置において、前記液晶パネルと発光表示パネルとの間には、光の縦波（Ｐ波）成分と光の横波（Ｓ波）成分との位相差を４５度ずらす位相差板が設けられていることを特徴としている。
【００２７】
本発明の表示装置は、上記記載の表示装置において、前記液晶パネルの下の偏光板、及び前記位相差板は、上記液晶パネル側から入光する光に対しては円偏光板として機能し、発光表示パネルの出射光に対しては直線偏光板として機能することを特徴としている。
【００２８】
上記の発明によれば、前記液晶パネルと発光表示パネルとの間には、光の縦波（Ｐ波）成分と光の横波（Ｓ波）成分との位相差を４５度ずらす位相差板が設けられている。
【００２９】
一方、液晶パネルには、互いに直交ニコルをなす偏光板が設けられている。したがって、液晶パネルの下の偏光板、及び前記位相差板は、上記液晶パネル側から入光する光に対しては円偏光板として機能し、発光表示パネルの出射光に対しては直線偏光板として機能する。
【００３０】
この結果、上記液晶パネル側から入光する光は、円偏光となり、発光表示パネルにて反射され、このときに逆回転の円偏光となるので、再度、偏光板を通過するときには遮断される。したがって、液晶パネル側から入光する光は、外部には反射されない。
【００３１】
一方、発光表示パネルの出射光に対しては直線偏光板として機能するので、発光表示パネルの出射光は、偏光板に遮断されずに通過する。
【００３２】
したがって、発光表示パネルの出射光のみが外部に出射されるので、外光に影響されない発光表示パネルの発光が得られる。また、本発明の位相差板は、外光の発光表示パネルでの反射防止に寄与する。このため、位相差板は外光を拡散するものではないので、発光表示パネルの画像がボケこともない。
【００３３】
この結果、良好な表示品質の表示装置を提供することができる。
【００３４】
本発明の表示装置は、上記記載の表示装置において、前記液晶素子を構成する透明な一対の基板は、プラスチックにてなっている。
【００３５】
上記の発明によれば、液晶素子を構成する透明な一対の基板は、プラスチックにてなっているので、厚いガラス基板を用いる必要がない。したがって、表示装置の薄型化を図ることができる。
【００３６】
本発明の表示装置は、上記記載の表示装置において、前記発光素子は、有機ＥＬ素子であることを特徴としている。
【００３７】
上記の発明によれば、発光素子は有機ＥＬ素子であるので、有機ＥＬ素子を搭載した表示装置において、比較的容易な光学系により、有機ＥＬ表示パネルのホワイトバランス調整を実現し得る表示装置を提供することができる。
【発明の効果】
【００３８】
本発明の表示装置は、以上のように、上記発光表示パネルの発光方向である上面には、透明な一対の基板間に狭持された、液晶層及び該液晶層の上下面に配された電極を有する液晶素子と、該液晶素子を狭持しかつ互いに直交ニコルをなす偏光板とを有する液晶パネルが積層されていると共に、上記液晶層の上下面に配された電極は、それぞれ単一の透明電極にて構成されているものである。
【００３９】
それゆえ、液晶パネルは、発光表示パネルから出射された光の透過率を減じる働きをする。このため、発光表示パネルのＲＧＢ各色の輝度配合比が変わらない状態にて、ホワイトバランスを調整することが可能である。特に、本発明では、液晶素子は、単一の透明電極にて構成されているので、マトリクス電極を使用するマトリクス型の液晶表示装置のような複雑な構造及び駆動は不要である。また、マトリクス電極を使用しないので、液晶パネルの開口率の低下による発光表示パネルの発光輝度の低下もなく、液晶パネルと発光表示パネルとの間の干渉縞（モアレ）が発生することもない。
【００４０】
この結果、比較的容易な光学系により、発光表示パネルのホワイトバランスの調整を実現し得る表示装置を提供することができるという効果を奏する。
【発明を実施するための最良の形態】
【００４１】
本発明の一実施形態について図１ないし図３に基づいて説明すれば、以下の通りである。
【００４２】
本実施の形態の表示装置１０は、図１に示すように、発光表示パネルとしての有機ＥＬ(Electro Luminescence)表示パネル２０の上側に液晶パネル３０が積層されたものとなっており、両者の間には、縦波（Ｐ波）成分と横波（Ｓ波）成分との位相差をλ／４だけ変える位相差板１１が設けられている。すなわち、液晶パネル３０は、有機ＥＬ表示パネル２０の発光方向である上面に設けられている。
【００４３】
上記有機ＥＬ表示パネル２０は、一対の基板であるＥＬ素子表側基板２１とＥＬ素子裏側基板２２との間に有機ＥＬ素子２３を有している。この有機ＥＬ表示パネル２０の有機ＥＬ素子２３は、ＥＬ素子表側基板２１側に発光するようになっている。
【００４４】
有機ＥＬ表示パネル２０は、フルカラー有機ＥＬ表示装置を成していれば、ボトムエミッション（上面放射）又はトップエミッション（下面放射）の何れでも良い。すなわち、放射方向に液晶パネル３０が存在していればよい。
【００４５】
また、有機ＥＬ素子２３の駆動は、アクティブマトリクス又はパッシブマトリクスの何れでも良く、さらには定電圧駆動、又は定電流駆動の何れでも良い。
【００４６】
さらに、有機ＥＬ表示パネル２０の材質関係は一般的なものでよい。すなわち、特に、図示しないが、有機ＥＬ表示パネル２０は、陰極、電子層、発光層、正孔層、陽極、ＴＦＴ素子、バスライン及び電源線等を有しており、これらは一般的な材質のものでよい。また、本実施の形態では、表面の電極は透明である必要があるが、裏面の電極は、必ずしも透明でなくてもよい。
【００４７】
一方、液晶パネル３０は、同図に示すように、一対の基板である液晶素子表側基板３２と液晶素子裏側基板３３との間に液晶層３４及びこの液晶層３４の上下面に配された図示しない透明電極を有する液晶素子３１を備えている。また、液晶素子表側基板３２及び液晶素子裏側基板３３の各外側には表側偏光板３５及び裏側偏光板３６が設けられている。これら表側偏光板３５及び裏側偏光板３６は、本発明の偏光板としての機能を果たす。
【００４８】
上記液晶素子表側基板３２及び液晶素子裏側基板３３は、透明基板からなっている。透明基板は、ガラス板でも良いが、フィルム上のシートにすることにより、薄型化が図れるので好ましい。すなわち、いわゆるプラスチック基板を用いたプラスチック液晶とするのが好ましい。本来、液晶表示装置においては、液晶は、セルギャップが特性に大きく寄与するので、平滑性の優れたガラス基板を使用するのが望ましい。また、カラーやアクティブマトリクス表示の場合は、高温処理を必要とするカラーフィルタや、ＴＦＴ（Thin Film Transistor：薄膜トランジスタ）素子の形成等が必要であり、耐熱性の意味でもガラス基板を使わざるを得ない。しかしながら、本実施の形態においては、液晶パネル３０は、単一の透明電極つまり単純なベタ電極のみを有しており、しかも、画像表示をするわけではない。したがって、大まかに透過率が変化すれば良いので、必ずしもガラス基板を使う必要が無い。この結果、例えば、例えば０．２ｍｍ程度の透明な樹脂フィルムにて液晶パネル３０をサンドイッチするような構成でも良い。なお、この樹脂フィルムには、ＴＦＴ素子はない。
【００４９】
上記液晶層３４は、ＴＮ（ツイストネマテック）液晶が使用されている。また、このＴＮ（ツイストネマテック）液晶の両側に設けられる図示しない透明電極は、本実施の形態では、いずれもベタ電極が使用されている。すなわち、本実施の形態では、液晶パネル３０は、単に、有機ＥＬ表示パネル２０からの発光の光量調整に使用されるものである。したがって、例えば、マトリクス型液晶表示装置のように複数の画素をマトリクス状に配したものである必要は無く、一つの画素だけが設けられていればよい。このように、液晶パネル３０を単なるシャッター効果としての機能を持たせるだけなので、最もシャッター能力が高い本構成により、構造についても単純にすることが可能である。ただし、透明な上下ベタ電極で透過率可変ができるのであれば、この構成に限るものではない。
【００５０】
また、上記液晶層３４の両側に設けられた表側偏光板３５及び裏側偏光板３６は、両者にて直交ニコル偏光板を構成している。この直交ニコル偏光板とは、２枚の偏光板を配置する場合に、その透過偏光軸が互いにクロス（９０度）するような配置になっている偏光板をいう。また、本実施の形態では、裏側偏光板３６は、位相差板１と組合せて、円偏光板として機能させるものとなっている。
【００５１】
上記液晶パネル３０の材質関係は一般的なものでよい。
【００５２】
次に、上記構成の表示装置１０における調光動作について、図２（ａ）（ｂ）に基づいて説明する。上記図２（ａ）は上記表示装置における液晶素子への印加電圧が０の場合の光の透過状態を示す斜視図であり、図２（ｂ）は上記表示装置における液晶素子３１への印加電圧が０よりも大きい場合の光の透過状態を示す斜視図である。
【００５３】
まず、図２（ａ）に示すように、最初の状態として、通常状態では液晶パネル３０への印加電圧Ｖを０にしておく。このとき、液晶パネル３０はノーマリホワイト状態となっている。
【００５４】
これにより、表示装置１０では、有機ＥＬ表示パネル２０における有機ＥＬ素子２３の発光（画像情報）により、この発光ＥＬ光Ｌ１は、直交ニコルの偏光板である表側偏光板３５及び裏側偏光板３６と液晶層３４のＴＮ液晶により、上面の表側偏光板３５から射出される。なお、同図では液晶分子が水平になっているように示しているが、直交ニコルの偏光板及びＴＮ状態の液晶であれば、入光する光がバックライトの光でも、外光でも、入光した光に対して９０度捩じれた直線偏光で出光する。
【００５５】
この場合、液晶パネル３０には、カラーフィルタやマトリクス電極等がないので、開口率１００％であり、発光ＥＬ光Ｌ１は、殆ど阻害なく射出される。
【００５６】
また、このとき、表側偏光板３５に入射した外光Ｌ２は、液晶層３４のＴＮ液晶と裏側偏光板３６と位相差板１１により、円偏光となって有機ＥＬ表示パネル２０に入射する。この結果、有機ＥＬ表示パネル２０の内部で反射する光は逆回転の円偏光となるので、裏側偏光板３６で遮断される。
【００５７】
ここで、表側偏光板３５及び裏側偏光板３６並びに位相差板１１による直線偏光及び円偏光について詳述する。
【００５８】
すなわち、液晶パネル３０側から入光する外光Ｌ２は自然光（無偏光）であり、これが表側偏光板３５及び裏側偏光板３６を透過すると直線偏光となる。光は波であり、その振動方向により、縦波（Ｐ波）成分と横波（Ｓ波）成分とに分けられる。したがって、このＰ波とＳ波との合成波がどのようになっているかによって、光の振動方向が決まる。直線偏光とは、このＰ波とＳ波との位相差がゼロの状態である。この状態で位相差板１１を透過するとき、その位相差板１１がλ／４（λは波長を示す）板の場合、Ｐ波とＳ波との位相差を４５度ずらすため、振動方向は円となり、いわゆる円偏光となる。
【００５９】
一方、有機ＥＬ表示パネル２０からの出射光は自然光であり、無偏光の光はＰ波とＳ波とが無規則に混在したものである。したがって、このような光が位相差板１１を透過しても無偏光の状態のままである。よって、その後の裏側偏光板３６及び表側偏光板３５にて直線偏光となる。結局、自然光が表側偏光板３５及び裏側偏光板３６→位相差板１１の順で入光すれば円偏光となり、位相差板１１→裏側偏光板３６及び表側偏光板３５の順で入光すれば直線偏光といったように、その入光方向により、出射光の偏光状態が変わる。
【００６０】
次に、図２（ｂ）に示すように、液晶パネル３０への印加電圧ＶをＶ＞０にする。これにより、ＴＮ液晶の傾斜が変化し、発光ＥＬ光Ｌ１の液晶層３４での透過率が変化する。
したがって、これにより、発光ＥＬ光Ｌ１の調光を制御することができる。
【００６１】
なお、このとき、表側偏光板３５に入射した外光Ｌ２が、液晶層３４のＴＮ液晶と裏側偏光板３６と位相差板１１により、円偏光となって有機ＥＬ表示パネル２０に入射する。この結果、有機ＥＬ表示パネル２０の内部で反射する光は逆回転の円偏光となるので、裏側偏光板３６で遮断される。
【００６２】
この結果、本実施の形態の表示装置１０では、ホワイトバランスを崩すことなく、有機ＥＬ表示パネル２０の発光ＥＬ光Ｌ１を任意の明るさに調光できるとともに、外光Ｌ２による反射も完全に遮断することができる。
【００６３】
このように、本実施の形態の表示装置１０では、有機ＥＬ表示パネル２０の調光において、液晶パネル３０のシャッティング機能を利用することにより、
（１）ホワイトバランスが崩れない。
【００６４】
（２）広範囲の調光が可能。
【００６５】
（３）容易な構成で調光可能。
【００６６】
といった効果が得られる。
【００６７】
なお、本発明は、上記の実施の形態に限定されるものではなく、本発明の範囲内で種々の変更が可能である。例えば、上記実施の形態では、有機ＥＬ表示パネル２０と液晶パネル３０との間に位相差板１１は設けていたが、必ずしもこれに限らず、図３に示すように、位相差板１１を省略することも可能である。
【００６８】
すなわち、位相差板１１は、円偏光板による外光遮断のために必要なものであり、有機ＥＬ表示パネル２０の調光機能に関しては特に必要のないものである。したがって、外光Ｌ２の遮断の必要がなければ、省いても良い。
【００６９】
このように、本実施の形態の表示装置１０では、有機ＥＬ表示パネル２０の上側には、単一の透明電極にて構成される液晶素子３１を備えた液晶パネル３０が配されている。この液晶パネル３０は、有機ＥＬ表示パネル２０から出射された光の透過率を減じる働きをする。このため、有機ＥＬ表示パネル２０のＲＧＢ各色の輝度配合比が変わらない状態にて、ホワイトバランスを調整することが可能である。特に、本実施の形態では、液晶素子３１は、単一の透明電極にて構成されているので、マトリクス電極を使用するマトリクス型の液晶表示装置のような複雑な構造及び駆動は不要である。また、マトリクス電極を使用しないので、液晶パネル３０の開口率の低下による有機ＥＬ表示パネル２０の発光輝度の低下もなく、液晶パネル３０と有機ＥＬ表示パネル２０との間の干渉縞（モアレ）が発生することもない。
【００７０】
この結果、比較的容易な光学系により、有機ＥＬ表示パネル２０のホワイトバランスの調整を実現し得る表示装置１０を提供することができる。
【００７１】
また、本実施の形態の表示装置１０では、液晶パネル３０の液晶素子３１は、印加電圧に応じてその透過率が表示面全体で一律に変化する。このため、液晶素子３１に電圧を印加したときには、表示面全体で有機ＥＬ表示パネル２０から出射された光の透過率を減じることができる。
【００７２】
また、本実施の形態の表示装置１０では、液晶パネル３０と発光表示パネルとの間には、光の縦波（Ｐ波）成分と光の横波（Ｓ波）成分との位相差を４５度ずらす位相差板１１が設けられている。
【００７３】
一方、液晶パネル３０には、互いに直交ニコルをなす表側偏光板３５及び裏側偏光板３６が設けられている。したがって、液晶パネル３０の上下の表側偏光板３５及び裏側偏光板３６、及び位相差板１１は、液晶パネル３０側から入光する外光Ｌ２に対しては円偏光板として機能し、有機ＥＬ表示パネル２０の出射光に対しては直線偏光板として機能する。
【００７４】
この結果、液晶パネル３０側から入光する光は、円偏光となり、有機ＥＬ表示パネル２０にて反射され、このときに逆回転の円偏光となるので、再度、裏側偏光板３６を通過するときには遮断される。したがって、液晶パネル３０側から入光する外光Ｌ２は、外部には反射されない。
【００７５】
一方、有機ＥＬ表示パネル２０の出射光に対しては直線偏光板として機能するので、有機ＥＬ表示パネル２０の出射光は、表側偏光板３５及び裏側偏光板３６に遮断されずに通過する。
【００７６】
したがって、有機ＥＬ表示パネル２０の出射光のみが外部に出射されるので、外光Ｌ２に影響されない有機ＥＬ表示パネル２０の発光が得られる。また、本実施の形態の位相差板１１は、外光Ｌ２の有機ＥＬ表示パネル２０での反射防止に寄与する。このため、位相差板１１は外光Ｌ２を拡散するものではないので、有機ＥＬ表示パネル２０の画像がボケこともない。この結果、良好な表示品質の表示装置１０を提供することができる。
【００７７】
また、本実施の形態の表示装置１０では、液晶パネル３０を構成する透明な一対の液晶素子表側基板３２及び液晶素子裏側基板３３は、プラスチックにてなっているので、厚いガラス基板を用いる必要がない。したがって、表示装置１０の薄型化を図ることができる。
【００７８】
また、本実施の形態の表示装置１０では、発光素子は有機ＥＬ素子２３であるので、有機ＥＬ素子２３を搭載した表示装置１０において、比較的容易な光学系により、有機ＥＬ表示パネル２０のホワイトバランス調整を実現し得る表示装置１０を提供することができる。
【産業上の利用可能性】
【００７９】
本発明は、表示装置として、例えば、有機ＥＬ発光素子、無機ＥＬ発光素子、ＬＥＤ（Light Emitting Diode）等の発光輝度が可変の発光素子を用いたディスプレイ、フィールドエミッションディスプレイ（ＦＥＤ）、プラズマディスプレイにも利用することができる。
【図面の簡単な説明】
【００８０】
【図１】本発明における表示装置の実施の一形態を示すものであり、表示装置の構成を示す断面図である。
【図２】（ａ）は上記表示装置における液晶素子への印加が０の場合の光の透過状態を示す斜視図であり、（ｂ）は上記表示装置における液晶素子への印加が０よりも大きい場合の光の透過状態を示す斜視図である。
【図３】上記表示装置の変形例を示すものであり、表示装置の構成を示す断面図である。
【図４】従来の表示装置の構成を示す断面図である。
【図５】ＲＧＢ各色の有機ＥＬ層の電圧と輝度特性との関係を示すグラフである。
【図６】従来の表示装置のさらに他の構成を示す断面図である。
【符号の説明】
【００８１】
１０      表示装置
１１      位相差板
２０      有機ＥＬ表示パネル（発光表示パネル）
２１      ＥＬ素子表側基板
２２      ＥＬ素子裏側基板
２３      有機ＥＬ素子
３０      液晶パネル
３１      液晶素子
３２      液晶素子表側基板
３３      液晶素子裏側基板
３４      液晶層
３５      表側偏光板
３６      裏側偏光板
Ｌ１      発光ＥＬ光
Ｌ２      外光
【図１】
2006162705.tif 000003
【図２】
2006162705.tif 000004
【図３】
2006162705.tif 000005
【図４】
2006162705.tif 000006
【図５】
2006162705.tif 000007
【図６】
2006162705.tif 000008